(57)【要約】【課題】オーバー入賞の発生を抑制できるように構成された遊技機を提供する。【解決手段】遊技盤の盤面より前方に突出又は前記遊技盤の盤面より後方に後退可能に設けられた下側可動体３７１、及び、上側可動体３６１と、を備え、上側可動体を遊技球と接触するのが困難な後退状態に設定するとともに下側可動体を遊技球と接触可能な突出状態に設定するか、又は、上側可動体を遊技球と接触可能な突出状態に設定するとともに下側可動体を遊技球と接触するのが困難な後退状態に設定可能であり、上側可動体が後退状態に設定されるとともに下側可動体が突出状態に設定された場合に、当該突出状態に設定された下側可動体が受け止めた遊技球を入賞球として検出する球検出器３０９に誘導し、上側可動体が突出状態に設定されて下側可動体が後退状態に設定された場合に、下側可動体上にあった遊技球を下側可動体の下方の遊技領域３１に流下させる。【選択図】図１２
2017185021.tif 000002
【特許請求の範囲】
【請求項１】
遊技盤の盤面より前方に突出又は前記遊技盤の盤面より後方に後退可能に設けられて、前記遊技盤の盤面より前方に突出した場合に前記遊技盤の前側の遊技領域を流下する遊技球と接触して当該遊技球の流下方向を前記遊技領域の左下方向又は右下方向に変化させる下側可動体と、
前記下側可動体よりも上方の位置において前記遊技盤の盤面より前方に突出又は前記遊技盤の盤面より後方に後退可能に設けられて、前記遊技盤の盤面より前方に突出した場合に前記遊技領域を流下する遊技球と接触して当該遊技球の流下方向を前記遊技領域の左下方向又は右下方向に変化させる上側可動体と、を備え、
前記上側可動体を前記遊技盤の盤面より後方に後退させて前記遊技領域を流下する遊技球と接触するのが困難な後退状態に設定するとともに前記下側可動体を前記遊技盤の盤面より前方に突出させて前記遊技領域を流下する遊技球と接触可能な突出状態に設定するか、又は、前記上側可動体を前記遊技盤の盤面より前方に突出させて前記遊技領域を流下する遊技球と接触可能な突出状態に設定するとともに前記下側可動体を前記遊技盤の盤面より後方に後退させて前記遊技領域を流下する遊技球と接触するのが困難な後退状態に設定可能であり、
前記上側可動体が前記後退状態に設定されるとともに前記下側可動体が前記突出状態に設定された場合に、当該突出状態に設定された前記下側可動体が受け止めた遊技球を入賞球として検出する球検出器に誘導し、
前記上側可動体が前記突出状態に設定されて前記下側可動体が後退状態に設定された場合に、前記下側可動体上にあった遊技球を下側可動体の下方の遊技領域に流下させるように構成されたことを特徴とする遊技機。
【請求項２】
前記上側可動体と前記下側可動体とを連動可能に連結するリンク部材と、
前記リンク部材を駆動することにより前記上側可動体と前記下側可動体とを連動させる駆動源とを備えたことを特徴とする請求項１に記載の遊技機。
【請求項３】
前記球検出器を備えたことを特徴とする請求項１又は請求項２に記載の遊技機。
【請求項４】
前記上側可動体は、前記突出状態に設定された場合に前記遊技領域を流下する遊技球が前記球検出器で検出されることを防止するための入賞防止体を備えたことを特徴とする請求項１乃至請求項３のいずれか一項に記載の遊技機。
【発明の詳細な説明】
【技術分野】
【０００１】
本発明は、遊技機に関する。
【背景技術】
【０００２】
従来、遊技機の一例としてのパチンコ機として、特許文献１に開示されたように、遊技盤の前面より前方に突出して入賞口を閉じる突出状態、及び、遊技盤の前面より後方に後退して入賞口を開く後退状態に設定される開閉部材（可動体）を備えた構成のものが知られている。
また、特許文献２に開示されたように、第１可変入賞口を開閉する通常電動役物（第１の可動体）と、第２可変入賞口を開閉する振分電動役物（第２の可動体）とを備え、通常電動役物と振分電動役物とを交互に動作させることで、遊技性を向上させた構成のパチンコ機が知られている。
【先行技術文献】
【特許文献】
【０００３】
【特許文献１】特許第５６６２５１０号公報
【特許文献２】特開２０１５−２９５８２号公報
【発明の概要】
【発明が解決しようとする課題】
【０００４】
しかしながら、特許文献１，２に係る遊技機では、特別遊技（大当り遊技）中の複数の各単位遊技（各ラウンド遊技）において予め決められている規定の入賞球数を超えて入賞を許容してしまう、所謂、オーバー入賞を防止することが困難な構成であった。
即ち、特許文献１，２の遊技機では、入賞口を通過した遊技球を検出する球検出器が既定の入賞球数（例えば９個）を検出した後に開閉部材や電動役物を閉じるように制御するが、ラウンド遊技開始から９個目の遊技球と１０個目以降の遊技球とが同時期に入賞口を通過してしまって、ラウンド遊技開始から１０個目以降の遊技球も球検出器で検出されて入賞であると判定されてしまう、所謂、オーバー入賞の発生を抑制しにくい構成であった。
【０００５】
本発明は、上記課題を解決すべくなされたものであって、オーバー入賞の発生を抑制できるように構成された遊技機を提供するものである。
【課題を解決するための手段】
【０００６】
上記課題を解決するための本発明の構成として、遊技盤の盤面より前方に突出又は前記遊技盤の盤面より後方に後退可能に設けられて、前記遊技盤の盤面より前方に突出した場合に前記遊技盤の前側の遊技領域を流下する遊技球と接触して当該遊技球の流下方向を前記遊技領域の左下方向又は右下方向に変化させる下側可動体と、前記下側可動体よりも上方の位置において前記遊技盤の盤面より前方に突出又は前記遊技盤の盤面より後方に後退可能に設けられて、前記遊技盤の盤面より前方に突出した場合に前記遊技領域を流下する遊技球と接触して当該遊技球の流下方向を前記遊技領域の左下方向又は右下方向に変化させる上側可動体と、を備え、前記上側可動体を前記遊技盤の盤面より後方に後退させて前記遊技領域を流下する遊技球と接触するのが困難な後退状態に設定するとともに前記下側可動体を前記遊技盤の盤面より前方に突出させて前記遊技領域を流下する遊技球と接触可能な突出状態に設定するか、又は、前記上側可動体を前記遊技盤の盤面より前方に突出させて前記遊技領域を流下する遊技球と接触可能な突出状態に設定するとともに前記下側可動体を前記遊技盤の盤面より後方に後退させて前記遊技領域を流下する遊技球と接触するのが困難な後退状態に設定可能であり、前記上側可動体が前記後退状態に設定されるとともに前記下側可動体が前記突出状態に設定された場合に、当該突出状態に設定された前記下側可動体が受け止めた遊技球を入賞球として検出する球検出器に誘導し、前記上側可動体が前記突出状態に設定されて前記下側可動体が後退状態に設定された場合に、前記下側可動体上にあった遊技球を下側可動体の下方の遊技領域に流下させるように構成されたことを特徴とした。
また、前記上側可動体と前記下側可動体とを連動可能に連結するリンク部材と、
前記リンク部材を駆動することにより前記上側可動体と前記下側可動体とを連動させる駆動源とを備えたことを特徴とした。
また、前記球検出器を備えたことを特徴とした。
また、前記上側可動体は、前記突出状態に設定された場合に前記遊技領域を流下する遊技球が前記球検出器で検出されることを防止するための入賞防止体を備えたことを特徴とした。
なお、上記発明の概要は、本発明の必要な特徴の全てを列挙したものではなく、特徴群を構成する個々の構成もまた発明となり得る。
【発明の効果】
【０００７】
上記各構成に係る遊技機によれば、オーバー入賞の発生を抑制できるようになる。
【図面の簡単な説明】
【０００８】
【図１】大入賞部品の分解斜視図である。
【図２】大入賞部品の基板の後面に設けられた部材取付部と大入賞部品を構成する各部材との関係を示す図である。
【図３】大入賞部品の化粧板を後側から見た斜視図である。
【図４】大入賞部品の基板の後面に設けられた部材取付部を後側から見た斜視図である。
【図５】大入賞部品の基板の後面に設けられた部材取付部と大入賞部品を構成する上側可動体部材と下側可動体部材とリンク部材と球検出器との関係を示す斜視図である。
【図６】大入賞部品の基板の後面に設けられた部材取付部に球誘導部材がねじ止めされた状態を示す斜視図である。
【図７】大入賞部品の基板の後面に設けられた部材取付部に大入賞部品を構成する各部材がねじ止めされた状態を示す斜視図である。
【図８】大入賞部品の動作説明図である。
【図９】大入賞部品の動作説明図である。
【図１０】大入賞部品の動作説明図である。
【図１１】パチンコ機の概略斜視図である。
【図１２】遊技盤の正面図である。
【図１３】第２始動入賞部品の概略断面図である。
【図１４】遊技盤の斜視図である。
【図１５】パチンコ機の制御ブロック図である。
【発明を実施するための形態】
【０００９】
以下、実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【００１０】
まず、図１乃至図１０を参照して、遊技機の一例としてのパチンコ機１（図１１参照）に搭載される遊技盤３０（図１２参照）に取付けられる実施形態に係る遊技部品としての大入賞部品３００について説明する。なお、当該大入賞部品３００の説明において左右方向は、当該大入賞部品３００を搭載したパチンコ機１に対面する遊技者にとっての前後，上下，左右方向に一致させて説明する（各図の矢印参照）。
【００１１】
図１に示すように、大入賞部品３００は、基板３０１と、化粧板３０２と、上側可動体部材３０３と、下側可動体部材３０４と、リンク部材３０５と、駆動源としてのソレノイド３０６と、駆動源支持部材３０７と、球誘導部材３０８と、球検出器３０９と、後方覆い板３１０とを備えて構成される。
【００１２】
基板３０１は、遊技盤３０に形成された貫通孔３０Ｈ（図８参照）の前側開口を覆うように前側開口縁における遊技盤３０の盤面３０Ｆ（遊技盤３０の前面）に取付孔５１１を介して図外の止ねじで取付けられて前面３１０が遊技盤３０の盤面３０Ｆと連続する面を形成する板であり、当該遊技盤３０に取付けられた基板３０１の前面３１０と化粧板３０２の後面（裏面）３１４との間は、遊技球Ｐ（図８参照、以下、単に遊技球という）が通過可能な間隔に形成されている。
基板３０１には、後述する上側可動体３６１及び入賞防止体３６２を基板３０１の前方と後方とに進退させるための上側可動体進退用孔３１１と、後述する下側可動体３７１を基板３０１の前方と後方とに進退させるための下側可動体進退用孔３１２と、遊技球を基板３０１の前方から後方に通過させるための球通過用孔３１３とが形成されている。即ち、上側可動体３６１は上側可動体進退用孔３１１を介して遊技盤３０の前側の遊技領域３１に突出したり遊技盤３０の後方に後退可能となり、下側可動体３７１は上側可動体進退用孔３１２を介して遊技領域３１に突出したり遊技盤３０の後方に後退可能となるように基板３０１に取付けられている。
【００１３】
図３に示すように、化粧板３０２の後面３１４には、当該後面３１４より後方に突出するように設けられた部材として、上部球誘導部材３１５と、下側球誘導部材３１６と、右側部材３１７と、左側部材３１８とを備える。
化粧板３０２は、化粧板３０２の後面３１４と基板３０１の前面３１０とが平行に対向するように、基板３０１の前面３１０に取付けられる。即ち、化粧板３０２は、基板３０１に形成された取付孔５１２及び化粧板３０２の後面３１４に形成された取付孔５１３を介して止ねじ５０１によって基板３０１の前面３１０に取付けられる（図２，図１，図５参照）これにより、遊技球が上部球誘導部材３１５を介して基板３０１の前面３１０と化粧板３０２の後面３１４との間に入って下側球誘導部材３１６を介して下部の遊技領域３１に排出されたり、上方の遊技領域３１から基板３０１の前面３１０と化粧板３０２の後面３１４との間に入った遊技球が上側可動体３６１の上面を介して下部の遊技領域３１に排出されたり、あるいは、上方の遊技領域３１から基板３０１の前面３１０と化粧板３０２の後面３１４との間に入った遊技球が下側可動体３７１の上面及び左側部材３１８内に形成された球通路３４０を介して球通過用孔３１３に導かれて球検出器３０９で検出される大入賞となる。
【００１４】
図２に示すように、基板３０１の後面（裏面）３１９には、当該後面３１９より後方に突出するように設けられた部材取付部３２０を備える。
部材取付部３２０は、上側可動体スライドレール部と、下側可動体スライドレール部と、リンク部材回転支持部と、駆動源取付部と、球検出器取付部と、球誘導部材取付部、覆い板取付部とを備える。
【００１５】
上側可動体スライドレール部は、上側可動体３６１の左右両端側を前後方向にスライド自在に支持するために上側可動体進退用孔３１１の左右の両端部に設けられた囲い壁３２１，３２２により形成されて前後方向に延長する断面凹状のレール溝により構成される。
右囲い壁３２１は、上側可動体進退用孔３１１の右孔縁より後方に延長するように設けられた右壁３２３と、上側可動体進退用孔３１１の右孔縁側の上孔縁より後方に延長するように設けられた右上壁３２４と、上側可動体進退用孔３１１の右孔縁側の下孔縁より後方に延長するように設けられた右下壁３２５とで構成される。即ち、右囲い壁３２１は、互いに対向する右上壁３２４の右端と右下壁３２５の右端とが右壁３２３で連結された三方囲み壁であり、右壁３２３と対向する右上壁３２４の左端と右下壁３２５の左端との対向間、右上壁３２４の前端と右下壁３２５の前端との対向間、及び、右上壁３２４の後端と右下壁３２５の後端との対向間が開口していることにより、上側可動体３６１の右側が後方から右上壁３２４と右下壁３２５との間に挿入可能で、かつ、上側可動体３６１の右側が上側可動体進退用孔３１１を通過して基板３０１の前方に突出できるように構成されている。
左囲い壁３２２は、上側可動体進退用孔３１１の左孔縁より後方に延長するように設けられた左壁３２６と、上側可動体進退用孔３１１の左孔縁側の上孔縁より後方に延長するように設けられた左上壁３２７と、上側可動体進退用孔３１１の右孔縁側の下孔縁より後方に延長するように設けられた左下壁３２８とで構成される。即ち、左囲い壁３２２は、互いに対向する左上壁３２７の右端と左下壁３２８の右端とが左壁３２６で連結された三方囲み壁であり、左壁３２６と対向する左上壁３２７の左端と左下壁３２８の左端との対向間、左上壁３２７の前端と左下壁３２８の前端との対向間、及び、左上壁３２７の後端と左下壁３２８の後端との対向間が開口していることにより、上側可動体３６１の左側が後方から左上壁３２７と左下壁３２８との間に挿入可能で、かつ、上側可動体３６１の左側が上側可動体進退用孔３１１を通過して基板３０１の前方に突出できるように構成されている。
【００１６】
下側可動体スライドレール部は、下側可動体３７１の左右両端側を前後方向にスライド自在に支持するために下側可動体進退用孔３１２の左右の両端部に設けられた囲い壁３３１，３３２により形成されて前後方向に延長する断面凹状のレール溝により構成される。
右囲い壁３３１は、下側可動体進退用孔３１２の右孔縁より後方に延長するように設けられた右壁３３３と、下側可動体進退用孔３１２の右孔縁側の上孔縁より後方に延長するように設けられた右上壁３３４と、下側可動体進退用孔３１２の右孔縁側の下孔縁より後方に延長するように設けられた右下壁３３５とで構成される。即ち、右囲い壁３３１は、互いに対向する右上壁３３４の右端と右下壁３３５の右端とが右壁３３３で連結された三方囲み壁であり、右壁３３３と対向する右上壁３３４の左端と右下壁３３５の左端との対向間、右上壁３３４の前端と右下壁３３５の前端との対向間、及び、右上壁３３４の後端と右下壁３３５の後端との対向間が開口していることにより、下側可動体３７１の右側が後方から右上壁３３４と右下壁３３５との間に挿入可能で、かつ、下側可動体３７１の右側が下側可動体進退用孔３１２を通過して基板３０１の前方に突出できるように構成されている。
左囲い壁３３２は、下側可動体進退用孔３１２の左孔縁より後方に延長するように設けられた左壁３３６と、下側可動体進退用孔３１２の左孔縁側の上孔縁より後方に延長するように設けられた左上壁３３７と、下側可動体進退用孔３１２の右孔縁側の下孔縁より後方に延長するように設けられた左下壁３３８とで構成される。即ち、左囲い壁３３２は、互いに対向する左上壁３３７の右端と左下壁３３８の右端とが左壁３３６で連結された三方囲み壁であり、左壁３３６と対向する左上壁３３７の左端と左下壁３３８の左端との対向間、左上壁３３７の前端と左下壁３３８の前端との対向間、及び、左上壁３３７の後端と左下壁３３８の後端との対向間が開口していることにより、下側可動体３７１の左側が後方から左上壁３３７と左下壁３３８との間に挿入可能で、かつ、下側可動体３７１の左側が下側可動体進退用孔３１２を通過して基板３０１の前方に突出できるように構成されている。
【００１７】
リンク部材回転支持部は、上側可動体進退用孔３１１と下側可動体進退用孔３１２との間に位置する基板３０１の後面３１９から後方に延長する左右のリンク支持壁３４１，３４２の後端面に設けられてリンク部材３０５の左右の回転中心軸３９２，３９１を回転可能に支持する左右の回転中心軸収容凹部３４３，３４４により構成される。
【００１８】
駆動源取付部は、上側可動体進退用孔３１１と下側可動体進退用孔３１２との間に位置する基板３０１の後面３１９から後方に延長する左右の取付壁３４５，３４６の後端面から前方に延長するように設けられた左右の取付孔３４７，３４８により構成される。そして、止ねじ５０２（図７参照）が駆動源支持部材３０７の左右の取付部４１３，４１２に形成された貫通孔５０５，５０５（図１参照）を貫通して取付孔３４７，３４８に取付けられることによって、ソレノイド３０６を搭載した駆動源支持部材３０７が基板３０１の後面３１９に取付けられ、さらに、上側可動体部材３０３及び下側可動体部材３０４が取付けられたリンク部材３０５の左右の回転中心軸３９２，３９１が左右の回転中心軸収容凹部３４３，３４４に回転可能に取付けられることになる。
【００１９】
球検出器前側装着部は、直方体形状に形成された球検出器３０９の前側の上下左右の面を囲む後端開口の前側装着溝部３５０を形成する囲み壁３５１により形成され、球検出器３０９の前側の上下左右の面が前側装着溝部３５０に挿入された状態で、球検出器３０９の後側の上下左右の面が球誘導部材３０８に設けられた前端開口の後側装着溝部４２１に装着されて球誘導部材３０８が止ねじ５０３（図６参照）により基板３０１の後面３１９に取付けられることにより、球検出器３０９が前側装着溝部３５０と後側装着溝部４２１とで挟まれた状態に取付けられる。
【００２０】
球誘導部材取付部は、囲み壁３５１に連結された壁の後端面から前方に延長するように形成された取付孔３５２、及び、左囲み壁３２２に連結された壁の後端面から前方に延長するように形成された取付孔３５３により形成され、止ねじ５０３，５０３が球誘導部材３０８に形成された貫通孔５０６，５０６（図１参照）を貫通して取付孔３５２，３５３に取付けられることにより、球誘導部材３０８が基板３０１の後面３１９に取付けられる。
【００２１】
後方覆い板取付部は、右囲み壁３２１，３３１に連結された壁の後端面から前方に延長するように形成された取付孔３５４により形成され、止ねじ５０４（図７参照）が後方覆い板３１０に形成された貫通孔５０７（図１参照）を貫通して取付孔３５４に取付けられることにより、後方覆い板３１０が基板３０１の後面３１９に取付けられる。
【００２２】
上側可動体部材３０３は、上側可動体３６１と、リンク連結部と、入賞防止体３６２とを備える。
上側可動体３６１は、平板により形成され、板面(平板の上面及び下面）が基板３０１の前面３１０と直交して右側から左側に傾斜して下る傾斜面を形成する状態を維持しながら、あるいは、板面が基板３０１の前面３１０と直交して左側から右側に傾斜して下る傾斜面を形成する状態を維持しながら、上側可動体進退用孔３１１を介して基板３０１の前方に突出又は基板３０１の後方に後退可能なように構成されている。
上側可動体３６１の右縁部には、右囲み壁３２１の上下の壁３２４，３２５に摺動するスライドガイド３６３を備えるとともに、上側可動体３６１の左縁部には、左の囲み壁３２２の上下の壁３２７，３２８に摺動するスライドガイド３６４を備える。
リンク連結部は、リンク部材３０５の右上側連結軸３８７が挿入される右溝３６５及びリンク部材３０５の左上側連結軸３８８が挿入される左溝３６６により構成される。
右溝３６５は、前壁と後壁とこれら前壁及び後壁の右端部を連結する右壁とこれら前壁及び後壁の上端部を連結する上壁とで囲まれて形成された下部開口上部閉塞の上下方向に延長する断面凹状の溝により構成される。
左溝３６６は、前壁と後壁とこれら前壁及び後壁の左端部を連結する左壁とこれら前壁及び後壁の上端部を連結する上壁とで囲まれて形成された下部開口上部閉塞の上下方向に延長する断面凹状の溝により構成される。
入賞防止体３６２は、上側可動体３６１の左側端部より下方に延長するように設けられた平板により形成される。当該入賞防止体３６２は、上側可動体３６１とともに基板３０１の前方である遊技領域３１に突出した場合に、遊技領域３１を流下する球が球通過用孔３１３を経由して球検出器３０９で検出されることを防止するものである。
【００２３】
下側可動体部材３０４は、下側可動体３７１と、リンク連結部とを備える。
下側可動体３７１は、平板により形成され、板面(平板の上面及び下面）が基板３０１の前面３１０と直交して右側から左側に傾斜して下る傾斜面を形成する状態を維持しながら、あるいは、板面が基板３０１の前面３１０と直交して左側から右側に傾斜して下る傾斜面を形成する状態を維持しながら、下側可動体進退用孔３１２を介して基板３０１の前方に突出又は基板３０１の後方に後退可能なように構成されている。
下側可動体３７１の右縁部には、右の囲み壁３３１の上下の壁３３５，３３４に摺動する右側スライドガイド３７３を備えるとともに、下側可動体３７１の左縁部には、左の囲み壁３３２の上下の壁３３７，３３８に摺動する左側スライドガイド３７４を備える。
リンク連結部は、リンク部材３０５の右下側連結軸３８９が挿入される右溝３７５及びリンク部材３０５の左下側連結軸３９０が挿入される左溝３７６により構成される。
右溝３７５は、前壁と後壁とこれら前壁及び後壁の右端部を連結する右壁とこれら前壁及び後壁の上端部を連結する上壁とで囲まれて形成された上部開口下部閉塞の上下方向に延長する断面凹状の溝により構成される。
左溝３７６は、前壁と後壁とこれら前壁及び後壁の左端部を連結する左壁とこれら前壁及び後壁の上端部を連結する上壁とで囲まれて形成された上部開口下部閉塞の上下方向に延長する断面凹状の溝により構成される。
尚、各図では、上側可動体３６１及び下側可動体３７１が右側から左側に傾斜して下る傾斜面を形成する板により形成された例を示しており、遊技領域を流下する遊技球が下側可動体３７１の傾斜面を転動して右側から左側に流下することで球通過用孔３１３に導かれるように構成されるため、当該球通過用孔３１３に遊技球が入って入賞することを防止するための入賞防止体３６２が上側可動体３６１の左側端部に設けられた例を示したが、上側可動体３６１及び下側可動体３７１が左側から右側に傾斜して下る傾斜面を形成する板により形成される場合（図１２参照）には、入賞防止体３６２が上側可動体３６１の右側端部に設けられた構成とすればよい。
また、各図では、上側可動体３６１の板面と下側可動体３７１の板面とが、互いに平行な平面上を移動するように構成された例を示しているが、上側可動体３６１の板面と下側可動体３７１の板面とが、互いに交差する平面上を移動するように構成されていてもよい。
即ち、上側可動体３６１と下側可動体３７１とが遊技盤３０の上下方向に並ぶように設けられていればよい。
【００２４】
図１に示すように、リンク部材３０５は、互いに平行に対向する平板により構成された右側板３８１及び左側板３８２と、右側板３８１及び左側板３８２の上端部同士を連結する上連結部３８３と、右側板３８１及び左側板３８２の下端部同士を連結する下連結部３８４と、右側板３８１及び左側板３８２の互いに対向する上下方向中央部同士を連結する中央連結部３８５と、中央連結部３８５の後端縁と下連結部３８４とを連結する後壁部３８６（図２参照）と、右側板３８１及び左側板３８２の上端側の各板面より当該板面と直交する方向でかつ互いに離れる方向に延長するように設けられた右上側連結軸３８７及び左上側連結軸３８８と、右側板３８１及び左側板３８２の下端側の各板面より当該板面と直交する方向でかつ互いに離れる方向に延長するように設けられた右下側連結軸３８９及び左下側連結軸３９０と、右側板３８１及び左側板３８２の上下方向中央側の各板面より当該板面と直交する方向でかつ互いに離れる方向に延長するように設けられた右回転中心軸３９１及び左回転中心軸３９２と、右側板３８１及び左側板３８２の上下方向中央と上端との間の部位を貫通するように形成された駆動源右側連結孔３９３及び駆動源左側連結孔３９４とを備えた構成である。
【００２５】
図１に示すように、駆動源としてのソレノイド３０６は、図外のコイルが内蔵されたコイル部４０１と、コイル部４０１が固定されたフレーム４０２と、コイル部４０１内のコイル筒内に進退可能に構成されたプランジャ（可動鉄心）４０３とを備え、コイルに通電することで、プランジャ４０３がコイルの磁界内に引き込まれるように構成されたものであり、当該プランジャ４０３の先端部にリンク部材３０５と連結される連結軸４０４が取付けられている。当該連結軸４０４は、プランジャ４０３の先端部に形成された貫通孔４０５に貫通され、貫通孔４０５の両側に位置される連結軸４０４の周面には止輪４０６が取付けられて連結軸４０４が左右方向に移動しないように貫通孔４０５に固定されている。
【００２６】
図１に示すように、駆動源支持部材３０７は、ソレノイド３０６が収容されて固定されるハウジング４１１と、ハウジング４１１の前側に設けられて駆動源取付部に取付けられる右取付部４１２及び左取付部４１３とを備えた構成である。そして、ソレノイド３０６をハウジングの内側に設置してソレノイド３０６のフレーム４０２をハウジング４１１に固定し、止ねじ５０２，５０２が右取付部４１２及び右取付部４１２に形成された貫通孔５０５，５０５（図１参照）を貫通して上述した駆動源取付部としての左右の取付孔３４７，３４８（図２参照）に取付けられることにより、ソレノイド３０６が基板３０１の後面３１９に固定される（図７参照）。
【００２７】
図１に示すように、球誘導部材３０８は、球検出器３０９の後方側が装着される球検出器後方側装着部４２１と、球通過用孔３１３から球検出器３０９の球検出孔４３１に球を誘導する球誘導路を形成する球誘導路形成部４２２と、止ねじ５０３（図６参照）により球誘導部材取付部に取付けられて、上側可動体の左側後端面、及び、下側可動体の左側後端面を覆う取付部４２３とを備える（図６参照）。尚、球通過用孔３１３から球検出器３０９の球検出孔４３１に球を誘導する球誘導路は、球通過用孔３１３の下縁側から後方に延長するように基板３０１の後面３１９に設けられた球通路４２５と上述した球誘導路形成部４２２とで形成される。
このように、球誘導部材３０８が止ねじ５０３により球誘導部材取付部に取付けられることで球検出器３０９が基板３０１の後面３１９に取付けられ、上側可動体３６１が後述する後退状態に設定されて下側可動体３７１が後述する突出状態に設定された場合に、当該突出状態の下側可動体３７１が受け止めた遊技球を入賞球として検出する球検出器３０９を備えた大入賞部品３００が構成される。
【００２８】
図１に示すように、球検出器３０９は、球が通過可能な球検出孔４３１と、球検出孔４３１の周囲に内蔵された図外のセンサーと、信号出力端子４３２とを備え、全体として直方体形状に形成されている。球検出器３０９は、遊技球が球検出孔４３１を通過したことをセンサーで検出し、その検出信号を信号出力端子４３２を介して主制御回路１００に送信する。
【００２９】
後方覆い板３１０は、上側可動体３６１の右側後端面、及び、下側可動体３７１の右側後端面を覆う板であり、取付孔３５４に止ねじ５０４により取付けられる（図７参照）。
【００３０】
次に大入賞部品３００の組立手順の一例を説明する。
連結軸４０４を、リンク部材３０５の駆動源連結孔３９３，３９４及びハウジング４１１に固定されたソレノイド３０６のプランジャ４０３の連結孔４０５，４０５に通し、連結軸４０４における連結孔４０５の左右両側部分に止輪４０６，４０６を取付けて連結軸４０４が連結孔４０５及び駆動源連結孔３９３，３９４から外れないように構成することで、連結軸４０４を介してプランジャ４０３の先端側にリンク部材３０５が取付けられたソレノイド組立体を作製する。
ソレノイド組立体のリンク部材３５０の左右の上側連結軸３８８，３８７を、上側可動体部材３０３のリンク連結部を形成する左右の溝３６６，３６５に挿入するとともに、ソレノイド組立体のリンク部材３５０の左右の下側連結軸３９０，３８９を、下側可動体部材３０４のリンク連結部を形成する左右の溝３７６及び左溝３７５に挿入した状態で、上側可動体部材３０３の上側可動体３６１の左右端側を上側可動体スライドレール部に挿入するとともに、下側可動体部材３０４の下側可動体３７１の左右端側を下側可動体スライドレール部に挿入する（図５参照）。
そして、ソレノイド組立体のリンク部材３０５の左右の回転中心軸３９１，３９２を左右の回転中心軸収容凹部３４３，３４４に設置した状態で、ソレノイド組立体の左右の取付部４１３，４１２を止ねじ５０２，５０２により駆動源取付部にねじ止めする（図７参照）。
以上により、上側可動体部材３０３、下側可動体部材３０４、リンク部材３０５、ソレノイド３０６が、基板３０１の後面３１９に設けられた部材取付部３２０に取付けられ、上側可動体３６１及び入賞防止体３６２が上側可動体進退用孔３１１を介して基板３０１の前方及び後方に進退自在で、かつ、下側可動体３７１が下側可動体進退用孔３１２を介して基板３０１の前方及び後方に進退自在に構成される。
さらに、球検出器前側装着部である前側装着溝部３５０に球検出器３０９を設置した後に、球誘導部材３０８が止ねじ５０３により球誘導部材取付部にねじ止めされる（図６参照）。これにより、球検出器３０９が基板３０１の後側に固定され、かつ、基板３０１の後側に、球通過用孔３１３から球検出器３０９の球検出孔４３１への球誘導路が球誘導路形成部４２２によって形成される。
さらに、後方覆い板３１０を止ねじ５０４により後方覆い板取付部に取付ける。
また、止ねじ５０１により基板３０１の前面３１０に化粧板３０２が取付けられる。
以上で、図７に示すように、基板３０１の前面３１０に化粧板３０２が取付けられ、基板の後面３１９に、上側可動体部材３０３、下側可動体部材３０４、リンク部材３０５、ソレノイド３０６、駆動源支持部材３０７、球誘導部材３０８、球検出器３０９、後方覆い板３１０が取付けられた大入賞部品３００が構成される。
【００３１】
尚、図５；図６では、上側可動体部材３０３と上側可動体スライドレール部との関係、下側可動体部材３０４と下側可動体スライドレール部との関係、上側可動体部材３０３及び下側可動体部材３０４とリンク部材３０５との関係、リンク部材３０５の回転中心軸と回転中心軸収容凹部３４３，３４４との関係を示すため、ソレノイド３０６を除いた状態の図を示した。
【００３２】
次に大入賞部品３００の動作について説明する。
図８（ａ）に示すように、ソレノイド３０６が非通電状態においては、プランジャ４０３が前方に移動した状態で当該プランジャ４０３に連結されたリンク部材３０５の上側が左右の回転中心軸３９２，３９１よりも前方に位置され、リンク部材３０５の左右の上側連結軸３８８，３８７がリンク連結部としての左右の溝３６６，３６５に連結された上側可動体部材３０３は前方に移動する。これにより、上側可動体３６１及び入賞防止体３６２が上側可動体進退用孔３１１を介して基板３０１の前面３１０よりも前方に突出して、遊技領域３１を流下する遊技球を上側可動体３６１の上面で受けることが可能な状態となるとともに、リンク部材３０５の下側が左右の回転中心軸３９２，３９１よりも後方に位置され、リンク部材３０５の左右の下側連結軸３９０，３８９がリンク連結部としての左右の溝３７６，３７５に連結された下側可動体部材３０４は後方に移動して、下側可動体３７１が下側可動体進退用孔３１２を介して後退して基板３０１の前面よりも前方に突出しない状態となる。
即ち、この場合、図９（ａ），図１０（ａ）に示すように、基板３０１と化粧板３０２との間において、化粧板３０２の右側部材３１７の上部と左側部材３１８の上部との間を上側可動体３６１が橋絡する状態となるとともに、基板３０１と化粧板３０２との間において、化粧板３０２の右側部材３１７の下部と左側部材３１８の下部との間を下側可動体３７１が橋絡しない状態となる。つまり、基板３０１と化粧板３０２との間において化粧板３０２の右側部材３１７の上部と左側部材３１８の上部との間の開口により形成される大入賞への入口が、上側可動体３６１により塞がれるとともに、大入賞経路の一部である下側可動体３７１による大入賞入口経路が形成されない状態となるため、遊技球が球検出器３０９で検出される大入賞が不可能な状態に設定される。尚、上述した大入賞経路は、化粧板３０２の右側部材３１７の下部と左側部材３１８の下部との間が下側可動体３７１により橋絡されることにより形成される大入賞入口経路、左側部材３１８の内側に形成された球通路３４０、球通過用孔３１３、球誘導部材３０８により形成された球検出器３０９の球検出孔４３１への球誘導路により形成される経路である。
【００３３】
一方、図８（ｂ）に示すように、ソレノイド３０６が通電状態においては、プランジャ４０３が後方に移動した状態で当該プランジャ４０３に連結されたリンク部材３０５の下側が左右の回転中心軸３９２，３９１よりも前方に位置され、下側可動体３７１が下側可動体進退用孔３１２を介して基板３０１の前面３１０よりも前方に突出して、遊技領域３１を流下する遊技球を下側可動体３７１の上面で受けることが可能な状態となるとともに、リンク部材３０５の上側が左右の回転中心軸３９２，３９１よりも後方に位置されて上側可動体３６１及び入賞防止体３６２が上側可動体進退用孔３１１を介して後退して基板３０１の前面よりも前方に突出しない状態となる。
即ち、この場合、図９（ｂ），図１０（ｂ）に示すように、基板３０１と化粧板３０２との間において、化粧板３０２の右側部材３１７の上部と左側部材３１８の上部との間を上側可動体３６１が橋絡しない状態となるとともに、基板３０１と化粧板３０２との間において、化粧板３０２の右側部材３１７の下部と左側部材３１８の下部との間を下側可動体３７１が橋絡する状態となる。つまり、基板３０１と化粧板３０２との間において化粧板３０２の右側部材３１７の上部と左側部材３１８の上部との間の開口により形成される入賞への入口が開放されるとともに、化粧板３０２の右側部材３１７の下部と左側部材３１８の下部との間が下側可動体３７１により橋絡されることによって、上述した大入賞経路が形成されることになり、遊技球が球検出器３０９で検出される大入賞が可能な状態に設定される。
【００３４】
即ち、大入賞部品３００は、基板３０１が遊技盤３０に取付けられた状態において遊技盤３０の上下方向に並ぶように設けられた上側可動体３６１及び下側可動体３７１がリンク部材３０５により連結されて当該リンク部材３０５を単一の駆動源としてのソレノイド３０６で駆動することにより、上側可動体３６１及び下側可動体３７１が連動して交互に遊技盤３０の盤面３０Ｆより前方に突出したり、上側可動体３６１及び下側可動体３７１が連動して交互に遊技盤３０の盤面３０Ｆより後方に後退したりするように構成されたものであり、単一のソレノイド３０６により上側可動体３６１及び下側可動体３７１を連動させることができるため、構成要素を少なくできて小型化が図れ、かつ、単一のソレノイド３０６を制御するだけなので、制御が容易な大入賞部品３００となる。即ち、単一のソレノイド３０６で動作する上側可動体３６１及び下側可動体３７１を備え、小型化、制御容易化が図れる大入賞部品３００を得ることができる。
【００３５】
つまり、大入賞部品３００は、遊技盤３０の盤面３０Ｆよりも前方に突出又は遊技盤３０の盤面３０Ｆよりも後方に後退可能に設けられて、遊技盤３０の盤面３０Ｆよりも前方に突出した場合に遊技盤３０の前側の遊技領域３１を流下する遊技球と接触して当該遊技球の流下方向を前記遊技領域の左下方向又は右下方向に変化させる下側可動体３７１と、当該下側可動体３７１よりも上方の位置において遊技盤３０の盤面３０Ｆよりも前方に突出又は遊技盤３０の盤面３０Ｆよりも後方に後退可能に設けられて、遊技盤３０の盤面３０Ｆよりも前方に突出した場合に遊技領域３１を流下する遊技球と接触して当該遊技球の流下方向を遊技領域３１の左下方向又は右下方向に変化させる上側可動体３６１と、上側可動体３６１と下側可動体３７１とを連動可能に連結するリンク部材３０５と、リンク部材３０５を駆動させて上側可動体３６１と下側可動体３７１とを連動させる単一の駆動源としてのソレノイド３０６とを備えた構成であり、当該ソレノイド３０６が、リンク部材３０５を駆動することにより、上側可動体３６１を遊技盤３０の盤面３０Ｆよりも後方に後退させて遊技領域３１を流下する遊技球と接触するのが困難な後退状態に設定するとともに下側可動体３７１を遊技盤３０の盤面３０Ｆよりも前方に突出させて遊技領域３１を流下する遊技球と接触可能な突出状態に設定するか、又は、上側可動体３６１を遊技盤３０の盤面３０Ｆよりも前方に突出させて遊技領域３１を流下する遊技球と接触可能な突出状態に設定するとともに下側可動体３７１を遊技盤３０の盤面３０Ｆよりも後方に後退させて遊技領域１１を流下する遊技球と接触するのが困難な後退状態に設定するので、小型化、制御容易化が図れる遊技部品としての大入賞部品３００を提供できる。
【００３６】
つまり、基板３０１が遊技盤３０に取付けられた大入賞部品３００は、上側可動体３６１が前記突出状態に設定されるとともに下側可動体３７１が前記後退状態に設定された場合に、下側可動体３７１による大入賞経路が形成されず、遊技領域３１を流下する遊技球が上側可動体３６１の上面に衝突した後、遊技領域３１の左下方向（又は右下方向（図１２参照））に流下する（図８（ａ），図９（ａ），図１０（ａ）参照）。
そして、上側可動体３６１が前記後退状態に設定されるとともに下側可動体３７１が前記突出状態に設定された場合に、下側可動体３７１の上面、球通過用孔３１３を経由して球検出器３０９に到達する大入賞経路が形成され、遊技領域３１を流下する遊技球が下側可動体３７１の上面に衝突した後、球通過用孔３１３を通過して球検出器３０９で検出される大入賞となる（図８（ｂ），図９（ｂ），図１０（ｂ）参照）。
【００３７】
換言すれば、上側可動体３６１が前記後退状態に設定されるのに同期して下側可動体３７１が前記突出状態に設定される構成としたので、上述した大入賞経路を瞬時に形成でき、当該大入賞経路形成直後に当該大入賞経路に入らない所謂無駄球を減らすことができる。
また、下側可動体３７１が前記後退状態に設定されるのに同期して上側可動体３６１が前記突出状態に設定される構成としたので、大入賞経路消滅直後の所謂オーバー入賞を防ぐことができる。
【００３８】
実施形態の大入賞部品３００によれば、上側可動体３６１がリンク部材３０５の上部に連結されるとともに下側可動体３７１がリンク部材３９５の下部に連結され、単一の駆動源としてのソレノイド３０６によってリンク部材２０５の上部及び下部をリンク部材３０５の回転中心軸３９１，３９２を回転中心として前後方向に移動させることで、上側可動体３６１及び下側可動体３７１のうちの一方が遊技盤３０の盤面３０Ｆよりも前方に突出する突出状態となるとともに他方が遊技盤３０の盤面３０Ｆよりも後方に後退する後退状態となるように構成され、上側可動体３６１が前記後退状態に設定されるとともに下側可動体３７１が前記突出状態に設定された場合に、当該突出状態に設定された下側可動体３７１が受け止めた遊技球を入賞球として検出する球検出器３０９に誘導するとともに、上側可動体３６１が前記突出状態に設定されて下側可動体３７１が後退状態に設定された場合に、下側可動体３７１上にあった（下側可動体３７１上に留まっていた）遊技球を下側可動体３７１の下方の遊技領域３１に流下させるように構成されたので、後述する特別遊技（大当り遊技）中の各ラウンド遊技における所謂オーバー入賞を防止できるようになる。
即ち、特別遊技中の各ラウンド遊技においては、球検出器３が既定の入賞球数、例えば９個の遊技球を検出した後に上側可動体３６１を突出状態にするとともに下側可動体３７１を後退状態にすることにより、仮に、ラウンド遊技開始から９個目の遊技球と１０個目以降の遊技球とが上側可動体３６１の出入口である上側可動体進退用孔３１１の位置を同時期に通過して下側可動体３７１の上面に到達してしまったとしても、９個目の遊技球が球検出器３０９で検出された時点で下側可動体３７１が後退して大入賞経路が無くなるので、９個目の遊技球が球検出器３０９で検出された時点で下側可動体３７１の上面に残っていた遊技球は球通過用孔３１３に到達することなく、下側可動体３７１よりも下方の遊技領域３１に流下することになるため、所謂、オーバー入賞が生じ難い大入賞部品３００を提供できるようになる。
【００３９】
また、上述した特許文献１の大入賞部品では、開閉部材（可動体）を突出状態（大入賞経路を閉じた状態）とした後に、大入賞経路に遊技球が残っていること（オーバー入賞）を想定して、前のラウンド遊技において開閉部材を突出状態にした後、次のラウンド遊技において開閉部材を後退状態にするまでの時間、即ち、前のラウンド遊技において開閉部材を閉じて大入賞経路を閉じた後に次のラウンド遊技において開閉部材を開いて大入賞経路を開けるまでのインターバル時間を長めに設定していた。即ち、前のラウンド遊技において開閉部材を閉じてから大入賞経路にまだ球が残っているのに開閉部材を開いて次のラウンド遊技を開始してしまうと、球検出器で検出された球が、前のラウンド遊技で検出されたものなのか、それとも次のラウンド遊技で検出されたのものなのかが判別できなくなる。このため、特許文献１の大入賞部品では、オーバー入賞が生じてしまうことを考慮して、インターバル時間を長くしている。このインターバル時間は開閉部材が閉じているため、インターバル時間が長いとそれだけ入賞できない球、即ち、無駄球（こぼれ球）が増えることになる。また、インターバル時間が長いと大当り遊技に要する時間も長くなることになる。
【００４０】
一方、実施形態の大入賞部品３００によれば、特別遊技中の各ラウンド遊技において規定数目の球を検出するとすぐに下側可動体３７１が後退状態となって大入賞経路が消滅し、オーバー入賞がほぼ無くなるので、すぐに、次のラウンド遊技に移行できるようになる。即ち、実施形態の大入賞部品３００は、オーバー入賞がそもそも発生し難い構成となっているため、インターバル時間を短くできて、前のラウンド終了後すぐに次のラウンドに移行できるため、無駄球（こぼれ球）を減らすことが可能となり、また、大当り遊技に要する時間を短縮でき、狙った通りの時間で大当り遊技を終了させることが可能となる。
実施形態の大入賞部品３００によれば、インターバル時間を４０ｍｓ〜５０ｍｓにすることができるようになった。
【００４１】
また、上側可動体３６１は、突出状態に設定された場合に遊技領域３１を流下する遊技球が球検出器３０９で検出されることを防止する入賞防止体３６２を備えているので、上側可動体３６１が突出状態に設定されて下側可動体３７１が後退状態に設定されている場合、即ち、上述した大入賞経路が形成されていない状態での大入賞を防止できる。
【００４２】
以下、図１１乃至図１５を参照し、上述した大入賞部品３００を搭載した遊技機としてのパチンコ機１の一例を説明する。
［パチンコ機の全体構成について］
図１１に示すように、パチンコ機１は、遊技場の島設備に設置される縦長方形状の機枠２と、この機枠２の一側部においてヒンジ機構により開閉自在に取り付けられた本体枠３と、当該本体枠３内に収容された遊技盤３０（図１２参照）と、本体枠３の前方において開閉可能に軸着され、中央部に配設されたガラス窓４Ａ、及びガラス窓４Ａの下方に設けられた受皿６を有するパネル枠４と、パネル枠４の下部一側部より前方に突設されたハンドルユニット７、及びパネル枠４の上部両側部に配設されたスピーカユニット８を主たる構成として備える。パネル枠４が本体枠３側に閉じられた状態において、パチンコ機１の前方に着座する遊技者からは、パネル枠４に配設されたガラス窓４Ａを介して本体枠３内に収容された遊技盤３０の遊技領域３１を視認することが可能である。
【００４３】
受皿６の中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御回路２００（図１５参照）と接続されており、プッシュボタン９Ａ、及びダイアル９Ｂから出力される信号は、演出制御回路２００側に入力する。演出制御回路２００は、例えばプッシュボタン９Ａの入力タイミングに応じて演出表示装置８０（図１２；図１５参照）の表示及び動作を制御する。受皿６には、この他、球貸ボタンや返却ボタン等が配設されており、これらのボタン操作によって図外のＣＲユニットに投入されたＩＣカード等の記録媒体に記録された貸し球可能数に対応する遊技球の貸し出し動作、或いは記録媒体の返却動作が実行される。
【００４４】
［遊技盤の構成について］
以下、図１２〜図１５に基づいて、遊技盤３０について説明する。図１２に示すように、遊技盤３０には、外ガイドレール２７及び内ガイドレール２８と、概ね演出表示装置８０の表示画面Ｄ１の形状に沿って区画された遊技領域３１が形成される。遊技領域３１は、遊技盤３０の前面とガラス窓４Ａの後面との間に形成される空間であり、図外の発射機構により打ち出された遊技球が流下可能な領域である。遊技盤３０上には、この他、多数の釘が配設されており、遊技者のハンドルユニット７の操作によって図外の発射機構により発射された遊技球は、多数の釘や風車によって不規則に誘導されつつ遊技領域３１内を流下する。
【００４５】
図１２に示すように、遊技領域３１は、概ねセンターラインＣＬを境界として、一点鎖線で示される左打ち領域ＥＬと、二点鎖線で示される右打ち領域ＥＲと、右打ち領域ＥＲの下方に形成された擬似遊技領域ＥＦとに区画される。各領域への遊技球の打ち分けは、ハンドルユニット７の操作によって行うことができ、ハンドルユニット７の回転角度を相対的に小とすることにより左打ち領域ＥＬを流下させることができ、大とすることにより右打ち領域ＥＲを流下させることができる。以下、各領域について詳説する。
【００４６】
左打ち領域ＥＬには、入賞部品として、第１始動入賞部品６０及び複数の一般入賞部品７０が配設されている。第１始動入賞部品６０は、遊技盤３０の左右方向の略中央部に配設される始動部品とも呼ばれる入賞部品である。当該第１始動入賞部品６０は、上方開口として設けられた入球口を有しており、当該入球口を介して入球した遊技球は、内部に配設された第１始動口検出スイッチＳＷ１により検出される。詳細については後述するが、遊技球が第１始動入賞部品６０に入球すると、主制御回路１００（図１５参照）内において当該入球を契機とする所定の始動情報の取得及び賞球の払出しが実行される。また、主制御回路１００は、取得した始動情報に基づいて、遊技者にとって有利な状態を醸成する特別遊技（大当り遊技）の実行可否に関する当否抽選や、図柄の種別に関する抽選等を始めとする各種の抽選を実行する。即ち、第１始動入賞部品６０への入球は、始動情報の取得や上記各種の抽選を受けるための契機となるものである。
【００４７】
左打ち領域ＥＬには、他の入賞部品として、複数の一般入賞部品７０が配設される。各一般入賞部品７０は、上方開口として設けられた入球口を有しており、当該入球口を介して入球した遊技球は、内部に配設された一般入賞口検出スイッチＳＷ５（図１５参照）により検出される。
また、遊技球が一般入賞部品７０に入球すると、主制御回路１００内において当該入球を契機とする賞球の払出しが実行される。
【００４８】
左打ち領域ＥＬの最下部には、遊技球の回収口としてのアウト口６９が開設される。アウト口６９は第１始動入賞部品６０の下方に開設される横長楕円形の開口であって、左打ち領域ＥＬを流下中に上記第１始動入賞部品６０や複数の一般入賞部品７０に入球しなかった遊技球の全てを回収する。また、アウト口６９は、後述の右打ち領域ＥＲを流下した遊技球の一部も回収する。
【００４９】
次に、右打ち領域ＥＲについて説明する。図１２，図１４にも示すように、右打ち領域ＥＲには、上流側から下流側にかけて通過ゲート６８、第２始動入賞部品６２、大入賞部品３００が配設されている。第２始動入賞部品６２は化粧板６０４によって、大入賞部品３００は化粧板３０２によって、その前面が覆われており、これらの存在を遊技者が認識し難くなっている。
【００５０】
通過ゲート６８は、上下が開口した門型の構造であって、当該通過ゲート６８を通過した遊技球は、ゲート検出スイッチＳＷ４（図１５参照）により検出される。遊技球が通過ゲート６８を通過すると、主制御回路１００内において当該通過を契機とする所定の始動情報の取得が実行される。また、主制御回路１００は、取得した始動情報に基づいて、第２始動入賞部品６２を開放動作させ、遊技球を第２始動入賞部品６２に入球し易くする普通遊技等に関する各種の抽選を実行する。
【００５１】
図１３に示すように、第２始動入賞部品６２は、遊技盤３０の前後方向に進退動作する開閉体６２ａを備えた可変始動部品である。開閉体６２ａは、遊技盤３０内に内挿された状態で固定されるケース体６００を介して取り付けられたソレノイドＳＯＬ１（図１５参照）を駆動源として一点鎖線で示す前後方向に進退動作する。ケース体６００の前面部６０２と、当該前面部６０２と対向する化粧板６０４との間には、遊技球が通過可能な流路Ｌ１が形成されている。
化粧板６０４は、遊技盤３０を正面から視認した遊技者が流路Ｌ１の様子を視認することが不可能となるように着色や造形が施された板体であって、前面部６０２から遊技球の直径よりも長い寸法となるように前方に突出するボス６０２ａの先端部に取着される。
【００５２】
遊技球が流路Ｌ１を通過するタイミングで開閉体６２ａが流路Ｌ１側へ突出するように動作すると、遊技球は開閉体６２ａの先端部６０６上に衝突するとともに、入球口６２ｂを通って矢印Ｘ１に示す如く遊技盤３０の後方に誘導された後、擬似遊技領域排出口９０から再び遊技盤３０の前面（盤面）を流下する。一方、開閉体６２ａが流路Ｌ１側から後退した状態にあっては、遊技球は矢印Ｘ２に示す如く下流側に位置する大入賞部品３００に向けて流下する。
【００５３】
図１３に示すように、遊技球の落下経路上には、第２始動口検出スイッチＳＷ２が配設されており、当該第２始動入賞部品６２への入球が検出される。遊技球が第２始動入賞部品６２に入球すると、第１始動入賞部品６０と同様に、主制御回路１００内において当該入球を契機とする所定の始動情報の取得及び賞球の払出しが実行される。また、主制御回路１００は、取得した始動情報に基づいて、遊技者にとって有利な状態を醸成する特別遊技（大当り遊技）の実行可否に関する当否抽選や、図柄の種別に関する抽選等を始めとする各種の抽選を実行する。即ち、第２始動入賞部品６２への入球も第１始動入賞部品６０と同様に始動情報の取得や上記各種の抽選を受けるための契機となるものである。
【００５４】
第２始動入賞部品６２の下方には上述した大入賞部品３００が配置される。
尚、当該例では、大入賞部品３００から擬似遊技領域ＥＦに遊技球を流下させるために、図１２；図１４に示すように、上側可動体３６１が遊技盤３０の盤面３０Ｆよりも前方に突出する前記突出状態になった場合に遊技領域３１を流下する遊技球を受けて当該遊技球を遊技領域３１の右下方向に流下させるとともに、下側可動体３７１が遊技盤３０の盤面３０Ｆより前方に突出する前記突出状態になった場合に遊技領域３１を流下する遊技球を受けて当該遊技球を遊技領域３１の右下方向に流下させ、かつ、基板３０１と化粧板３０２との間に当該遊技球を大入賞球として検出する球検出器３０９を備えた構成の大入賞部品３００を用いる。
【００５５】
上述したように、第２始動入賞部品６２が化粧板６０４によって、大入賞部品３００が化粧板３０２によって、その前面が覆われて、内部が視認不能とされている。つまり、右打ち領域ＥＲに配設された第２始動入賞部品６２及び大入賞部品３００は、いずれも遊技者から視認不能な構成とされている。よって、図１３に示す遊技球ＰがＸ１，Ｘ２のいずれの進路を取ったか、換言すれば遊技球が第２始動入賞部品６２に入球したか否かを判断することや、遊技球が大入賞部品３００の上側可動体３６１上、下側可動体３７１上のいずれの進路を取ったか、換言すれば遊技球が大入賞部品３００に入球したか否かを判断することはもちろん、当該範囲に第２始動入賞部品６２及び大入賞部品３００が存在することすらも認識することが困難な構成となっている。
【００５６】
さらに、第２始動入賞部品６２に入球した遊技球は、下流側において遊技盤３０の前面に臨むように開設された擬似遊技領域排出口９０から再び遊技盤３０の前面に排出される。また、大入賞部品３００の上側可動体３６１上又は下側可動体３７１上を経由した遊技球は、遊技盤３０の後方に導かれることなく、遊技領域３１の下流側に流下する。即ち、第２始動入賞部品６２に入球し、擬似遊技領域排出口９０から排出される遊技球、大入賞部品３００の上側可動体３６１上又は下側可動体３７１上を経由した遊技球、大入賞部品３００の上側可動体３６１上又は下側可動体３７１上を経由しなかった遊技球、即ち、右打ち領域ＥＲに打ち出された遊技球の全ては、遊技領域３１の下流側の擬似遊技領域ＥＦに流下することとなる。
【００５７】
そして、右打ち領域ＥＲに打ち出された遊技球の全てが化粧板６０４，３０２によって視認不能となるも、視認不能となった遊技球の数と同数の遊技球が遊技領域３１の下流側の擬似遊技領域ＥＦに流下することから、第２始動入賞部品６２や大入賞部品３００が存在すること、及びこれらの入賞部品に入球したことを遊技者に気付かせることなく遊技を進行させることができる。なお、図１２，図１４に示すように、右打ち領域ＥＲには、擬似遊技領域ＥＦの外周を取り囲むように延在し、上述の左打ち領域ＥＬ側に開設されたアウト口６９へと続く、排出流路Ｑが形成されているが、右打ち領域ＥＲを流下する遊技球が当該排出流路Ｑ内に進入する可能性は低く、大多数の遊技球は擬似遊技領域ＥＦ側に流下することとなる。
【００５８】
次に、右打ち領域ＥＲの下部に形成された擬似遊技領域ＥＦについて詳説する。
図１２，図１４に示すように、擬似遊技領域ＥＦは、遊技領域３１の下流側に位置し、右打ち領域ＥＲと同一平面上に形成された領域であって、第２始動入賞部品６２又は大入賞部品３００に入球した遊技球や、いずれの入賞部品にも入球しなかった遊技球が流下可能な領域である。当該領域の最下流部には、アウト口７２が開設されており、擬似遊技領域ＥＦ内に配設された後述の複数の擬似入球部品に入球しなかった遊技球が回収される。以下、擬似入球部品について説明する。
【００５９】
擬似遊技領域ＥＦには、上流から下流側にかけて擬似始動入賞部品９２と、擬似大入賞部品９４とが配設される。擬似始動入賞部品９２は、上方開口の入球口を有する入球本体部９２ａと、当該入球本体部９２ａへの遊技球の入球を阻止又は許容する一対の開閉体９２ｂとを備える。開閉体９２ｂは、上下方向に直立した閉鎖状態において遊技球が入球本体部９２ａ内に入球するのを阻止する一方で、左右方向に倒伏した開放状態において遊技球が入球するのを許容する。開閉体９２ｂの開閉動作は、前述の第２始動入賞部品６２の開閉体６２ａを開閉動作させるソレノイドＳＯＬ１と同期或いは非同期で作動するソレノイドＳＯＬ３によって行われ、開閉体９２ｂが開放状態にある場合に遊技球が入球本体部９２ａ内に入球可能となる。また、擬似始動入賞部品９２は、上述の第２始動入賞部品６２と対応するあくまで擬似的な部品であるため、始動情報の取得や賞球の払出しを伴う正規な入球部品である第２始動入賞部品６２に対して要求される入球口の寸法や開閉体の寸法等に関する法規上の制限を受けることがない。
よって、正規な入球部品（本例では左打ち領域ＥＬや右打ち領域ＥＲ内に配設された部品）では採用し得ない間口の大きな入球口や、長大な開閉体９２ｂを採用することや、ソレノイドＳＯＬ３の制御によって、開閉体９２ｂの開放回数や開放時間を極端に長くするような、通常では考えられない演出動作を行うことが可能となる。
【００６０】
擬似大入賞部品９４は、前方開口の横長矩形状に形成された入球口と、当該入球口を閉鎖状態において閉塞し、開放状態において開放する開閉体９４ａを備える。開閉体９４ａは、入球口の下縁部に沿った回転軸を中心として前後方向に回転可能とされている。開閉体９４ａの動作は、前述の大入賞部品３００を作動させるソレノイド３０６と同期或いは非同期で作動するソレノイドＳＯＬ４によって実現される。開閉体９４ａは閉鎖状態において、前方に開口する入球口の全域を前方から閉塞して遊技球の入球を阻止する。一方、開閉体９４ａは、開放状態において前方に倒伏し、上方から流下する遊技球を受け止めるとともに入球口側へ誘導して入球を許容する。
また、擬似大入賞部品９４は、擬似始動入賞部品９２と同様に上述の大入賞部品３００に対応するあくまで擬似的な部品であるため、賞球の払出しを伴う正規な入球部品である大入賞部品３００に対して要求される入球口や開閉体９４ａの寸法や、開放時間等に関する法規上の制限を受けることがない。
よって、正規な入球部品では採用し得ない大きさの入球口や開閉体９４ａを設けることや、大入賞部品３００の閉鎖条件（例えば、１回の大入賞経路開放当り最大９個の入球によって大入賞経路閉鎖）とは異なる演出動作を行うことができる。具体的には、例えば１回の開放時間を大幅に長く設定し、通常では考えられない数の遊技球が一回の開放により入球しているような演出動作を見せることが可能となる。
【００６１】
このように、擬似遊技領域ＥＦには、実遊技領域３１（右打ち領域ＥＲ）において、遊技者に視認不能とされた入球部品（第２始動入賞部品６２，大入賞部品３００）に対応するような擬似入球部品（擬似始動入賞部品９２，擬似大入賞部品９４）が設けられており、遊技領域３１を流下した遊技球がこれらの擬似入球部品に入球可能な構成である。
また、擬似始動入賞部品９２及び擬似大入賞部品９４内には、図１５に示すように、それぞれ擬似始動口検出スイッチＳＷ６及び擬似大入賞口検出スイッチＳＷ７が配設されており、入球した遊技球を検出可能となっている。一方で、これらの擬似入球部品への入球は、あくまで擬似的なものであるため、賞球の払出し処理や賞球の払出しに関係する抽選処理（後述の当否抽選処理）の契機となることはなく、専ら入球に至るまでの演出動作を遊技者に見せるものとなるとともに、後述する各種の演出の契機となるものとなる。
一方で、本実施形態では、擬似遊技領域ＥＦが、遊技者に視認不能とされた第２始動入賞部品６２及び大入賞部品３００が配設された右打ち領域ＥＲと同一平面上に形成され、右打ち領域ＥＲに打ち出された遊技球の略全てが流下する領域であるため、遊技者に擬似遊技領域ＥＦがあくまで擬似的な領域であると感じさせることなく遊技を進行させることができるとともに、通常ではあり得ない特異な寸法や動作を行う入球部品に対して実際に遊技球が入球し、当該入球を契機として実際に所定の抽選処理や払出処理が行われているかのような感覚を付与することができる。
【００６２】
次に、遊技盤３０に搭載された各種の表示装置について説明する。図１２に示すように、遊技盤３０の略中央部には、略矩形状の表示画面Ｄ１を有する演出表示装置８０が配設される。演出表示装置８０は、液晶ディスプレイを備えた表示装置であって、その表示画面Ｄ１上には、演出図柄Ｓに関する画像や、当該演出図柄Ｓの変動表示に伴って表示される予告演出やリーチ演出等を表現する静止画や動画等の画像や、特別遊技中において表示される画像等、多様な種類の画像が表示される。そして、遊技者は主に表示画面Ｄ１において表示される演出図柄Ｓや予告演出やリーチ演出と言った変動演出を視認しながら遊技を楽しむこととなる。また、本実施形態においては特に、上記擬似始動入賞部品９２又は擬似大入賞部品９４への入球を契機として多様な特定の演出が表示される場合がある。なお、当該演出表示装置８０に対する画像の表示制御は、演出制御回路２００によって実行される。
【００６３】
遊技盤３０の遊技領域３１の外方には、第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８が設けられている。各表示装置は、遊技の進行状況に応じて主制御回路１００によって制御され、その表示の変化によって遊技状況を遊技者に報知する。
【００６４】
［パチンコ機の内部構成について］
図１５は、パチンコ機１の制御を担う制御手段の構成を示すブロック図である。同図に示すように、パチンコ機１は、主として遊技全般に係る基本動作を制御する主制御回路１００と、主として払出動作を制御する払出制御回路１５０と、主として遊技球の発射動作を制御する発射制御回路１６０及び、主として前述の演出表示装置８０を制御する演出制御回路２００とを備える。
【００６５】
主制御回路１００は、（メイン）ＣＰＵ１００ａ、（メイン）ＲＯＭ１００ｂ、及び（メイン）ＲＡＭ１００ｃを備えてなり、ＣＰＵ１００ａが後述する各検出スイッチやタイマからの入力に対応してＲＯＭ１００ｂに予め格納されたプログラムを読み出して、当該プログラムに従った演算処理を行い、主制御回路１００に接続された上述の各装置を直接的に制御したり、他の制御回路に多様なコマンドを送信する。また、このときＲＡＭ１００ｃは、ＣＰＵ１００ａの演算処理時におけるワークエリアとして機能し、演算に必要な各種のデータや、コマンドを一時的に保持する。
【００６６】
図１５に示すように、主制御回路１００には、第１始動入賞部品６０への遊技球の入球を検出する第１始動口検出スイッチＳＷ１、第２始動入賞部品６２への遊技球の入球を検出する第２始動口検出スイッチＳＷ２、大入賞部品３００への遊技球の入球を検出する大入賞口検出スイッチＳＷ３（球検出器３０９のセンサーによる検出スイッチ）、通過ゲート６８への遊技球の通過を検出するゲート検出スイッチＳＷ４及び一般入賞部品７０への遊技球の入球を検出する一般入賞口検出スイッチＳＷ５が接続されており、各検出スイッチから出力された検出信号が主制御回路１００側に入力する。
【００６７】
また、主制御回路１００には、前述の第２始動入賞部品６２に設けられた開閉体６２ａを開閉動作させるためのソレノイドＳＯＬ１、大入賞部品３００のソレノイド３０６、擬似始動入賞部品９２に設けられた開閉体９２ｂを開閉動作させるためのソレノイドＳＯＬ３、擬似大入賞部品９４に設けられた開閉体９４ａを開閉動作させるためのソレノイドＳＯＬ４が接続され、これらのソレノイドが主制御回路１００によって直接的に制御される。なお、擬似入球部品に係るソレノイドＳＯＬ３，４については、演出制御回路２００側で制御してもよい。また、主制御回路１００には、第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８が接続されており、これらの表示装置が主制御回路１００によって直接的に制御される。
【００６８】
主制御回路１００には、払出制御回路１５０、及び演出制御回路２００が接続されている。払出制御回路１５０は、主制御回路１００と同様に不図示のＣＰＵ、ＲＯＭ、ＲＡＭを備えたマイクロコンピュータであって、主制御回路１００と通信可能に接続されている。また、主制御回路１００と払出制御回路１５０とには、外部情報出力端子板１５１が接続されている。外部情報出力端子板１５１は、主制御回路１００（ＣＰＵ１００ａ）及び払出制御回路１５０（払出ＣＰＵ）から出力された遊技の進行に関する種々の情報をパチンコ機１の設置店等に設けられたホストコンピュータ側に送信する。
【００６９】
払出制御回路１５０には、遊技者に対して賞球を払い出すための払出モータ１５２、及び賞球数計数スイッチ１５３が接続されている。払出制御回路１５０は、主制御回路１００から送信される払出コマンドに含まれる賞球数情報に基づいて所定の賞球数が払い出されるように払出モータ１５２を制御する。当該払出モータ１５２の駆動により払い出された賞球は、賞球数計数スイッチ１５３により検出され、払出制御回路１５０側において、適正な賞球数が払い出されたかが把握される。なお、払出制御回路１５０には、この他、受皿６に許容数以上の遊技球が貯留されていることを検知する皿満タン検出スイッチ１５４や、パネル枠４や本体枠３の扉が開放していることを検知する扉開放検出スイッチ１５５等の各種のスイッチが接続される。
【００７０】
また、発射制御回路１６０には、ハンドルユニット７内に搭載されたタッチセンサ１６１、発射ボリューム１６２、図外の発射機構内に受皿６に貯留された遊技球を送り込む球送りモータ１６３、及び発射機構内に格納された球発射モータ１６４が接続されている。発射制御回路１６０は、払出制御回路１５０からの発射許可およびタッチセンサ１６１からの入力を条件として、遊技者によるハンドルユニット７の操作量に応じて変化する発射ボリューム１６２からの入力信号に基づいて球発射モータ１６４を制御し、受皿６に貯留された遊技球を所定の発射力により遊技領域３１内に打ち出す。
【００７１】
演出制御回路２００は、遊技進行中や待機中における各種の演出表示や演出動作を制御する。演出制御回路２００は、（サブ）ＣＰＵ２００ａ、（サブ）ＲＯＭ２００ｂ、（サブ）ＲＡＭ２００ｃを備えてなり、主制御回路１００に対して主制御回路１００から演出制御回路２００に対してのみ通信（一方向通信）が可能なように接続されている。当該演出制御回路２００は、主制御回路１００から送信される演出に関する各種のコマンドや内部タイマからの入力信号に基づいて、ＲＯＭ２００ｂに予め格納されたプログラムを読み出して当該プログラムに従った演算処理を行い、演出制御回路２００に接続された演出表示装置８０の表示画面Ｄ１に表示される画像の表示制御、遊技進行中における楽曲や効果音などの音声をスピーカユニット８から出力させる音声出力制御、或いは遊技盤３０及びパネル枠４等の各所に配設された発光体（例えば、ＬＥＤ）を多様なパターンにより発行させる発光制御等を実行する。なお、このときＲＡＭ２００ｃは、ＣＰＵ２００ａの演算処理時におけるワークエリアとして機能し、演算に必要な各種のデータや、コマンド等を一時的に保持する。
また、演出制御回路２００は、ＣＰＵ２００ａと接続され、当該ＣＰＵ２００ａより送信される画像表示に係る各種のコマンドを受信して表示画面Ｄ１に多様な画像を表示するためのＶＤＰ、及び上記画像表示処理中に必要な各種のデータ等を一時的に保存するＶＲＡＭ、音声制御のための音声合成ＬＳＩ等、各種制御に必要なハードウェアを備えている。また、演出制御回路２００には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。
【００７２】
また、図示は省略するが、上述の各制御回路には電源供給回路が接続されており、当該電源供給回路に設けられた電源スイッチの操作により、遊技設置店側の外部電源から電源が供給され、該外部電源を各制御回路の動作に必要な電源として生成し、各制御回路に生成した電源を供給することで各制御回路が起動する。また、電源供給回路には、コンデンサ等のバックアップ用電源が搭載されており、断電時においては当該バックアップ用電源から主制御回路１００及び払出制御回路１５０に対して電力が供給され、これら２つの制御回路のＲＡＭに格納された各種のデータやコマンドが保持される。また、電源供給回路には、演出制御回路２００に対する専用のバックアップ用電源も搭載されており、断電時においては当該専用のバックアップ用電源からの電力供給によりＲＡＭに格納された各種のデータやコマンドの一部が別途搭載されたバックアップ用ＲＡＭに格納される。
【００７３】
以下、上記構成からなるパチンコ機１の遊技の流れについて概説する。
遊技者のハンドルユニット７の操作により打ち出されて、遊技領域３１（左打ち領域ＥＬ，右打ち領域ＥＲ）を流下する遊技球が前述の第１始動入賞部品６０又は第２始動入賞部品６２に入球すると、主制御回路１００では特別遊技の実行可否に関する抽選（以下、特図当否抽選ともいう）、特別図柄の種類を決定する抽選、特別図柄の変動パターンを決定する抽選等の種々の抽選を実行する。そして、上記抽選のうち、特図当否抽選の結果が「当り」である場合には、遊技者にとって有利な特別遊技（大当り遊技）が実行される。特別遊技においては、大入賞部品３００のソレノイド３０６を駆動することにより、上側可動体３６１を前記後退状態に設定するとともに下側可動体３７１を前記突出状態に設定して、下側可動体３７１の上面、球通過用孔３１３を経由して球検出器３０９に到達する大入賞経路を形成し、遊技球が球検出器３０９で検出される状態となる。
【００７４】
尚、特別遊技（大当り遊技）では、上側可動体３６１を前記後退状態に設定するとともに下側可動体３７１を前記突出状態に設定して、下側可動体３７１の上面、球通過用孔３１３を経由して球検出器３０９に到達する大入賞経路が形成されるラウンド遊技が複数回実行される。
当該特別遊技は、主制御装置１００が特別遊技制御テーブルＴＢを参照して行われる。当該特別遊技制御テーブルＴＢには、例えば、オープニング時間（最初のラウンド遊技が開始されるまでの待機時間）、１回の特別遊技中に実行されるラウンド遊技の回数、１ラウンド中の大入賞経路の形成回数、ソレノイド通電時間（大入賞経路が形成される毎のソレノイド３０６への通電時間）、規定数（１回のラウンド遊技における球検出器３０９への最大入賞可能数）、大入賞経路閉鎖有効時間（ラウンド遊技間の時間、すなわち、インターバル時間）、エンディング時間（最後のラウンド遊技が終了してから、通常の特別遊技（特別図柄の変動表示）が再開されるまでの待機時間）等のデータが、特別遊技の制御データとして予め記憶されている。
【００７５】
例えば、特別遊技が実行されると、特別遊技の態様として、ソレノイド３０６への通電による上述した大入賞経路が２９秒間形成されること、又は、遊技球が球検出器３０９により９個（カウントＣ＝９）検出されることのいずれかの条件が成立するまでラウンド遊技が継続し、当該ラウンド遊技が所定回数繰り返される。
【００７６】
当該パチンコ機１によれば、小型で制御が容易な大入賞部品３００を備え、当該大入賞部品３００により、特別遊技中における所謂オーバー入賞を防止できるとともに、特別遊技中における前のラウンドが終了後すぐに次のラウンドに移行できてインターバル時間を短くできるため、特別遊技中における無駄球（こぼれ球）を減らすことが可能となり、また、特別遊技に要する時間を短縮できるようになる。
【００７７】
尚、実施形態では、球検出器３０９を備えた遊技部品としての大入賞部品３００を例示したが、球検出器３０９を備えずに、上側可動体３６１が前記後退状態に設定されるとともに下側可動体３７１が前記突出状態に設定された場合に、当該突出状態に設定された下側可動体３７１が受け止めた遊技球を入賞球として検出する球検出器に誘導するように構成された大入賞部品としてもよい。即ち、大入賞部品の近傍に大入賞検出のための球検出器を大入賞部品とは別に配置するようにしてもよい。
【００７８】
また、実施形態では、上側可動体３６１及び下側可動体３７１がリンク部材３０５により連結されて当該リンク部材３０５を単一の駆動源としてのソレノイド３０６で駆動するように構成された大入賞部品３００を例示したが、上側可動体と下側可動体とをそれぞれ別々の駆動源で制御するようにして、上側可動体を後退状態に設定するとともに下側可動体を突出状態に設定するか、又は、上側可動体を突出状態に設定するとともに下側可動体を後退状態に設定する構成の大入賞部品とすることで、特別遊技中における所謂オーバー入賞を防止できるとともに、特別遊技中における前のラウンドが終了後すぐに次のラウンドに移行できてインターバル時間を短くできるため、特別遊技中における無駄球（こぼれ球）を減らすことが可能となり、また、特別遊技に要する時間を短縮できるので、このように構成された大入賞部品であってもよい。
【００７９】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００８０】
１  パチンコ機（遊技機）、３０  遊技盤、３０Ｆ  盤面、３１  遊技領域、
３００  大入賞部品（遊技部品）、３０５  リンク部材、
３０６  ソレノイド（駆動源）、３０９  球検出器、３６１  上側可動体、
３６２  入賞防止体、３７１  下側可動体。
【図１】
2017185021.tif 000003
【図２】
2017185021.tif 000004
【図３】
2017185021.tif 000005
【図４】
2017185021.tif 000006
【図５】
2017185021.tif 000007
【図６】
2017185021.tif 000008
【図７】
2017185021.tif 000009
【図８】
2017185021.tif 000010
【図９】
2017185021.tif 000011
【図１０】
2017185021.tif 000012
【図１１】
2017185021.tif 000013
【図１２】
2017185021.tif 000014
【図１３】
2017185021.tif 000015
【図１４】
2017185021.tif 000016
【図１５】
2017185021.tif 000017